(57)【要約】【課題】電界伝達媒体を介して情報の送受信を行う通信装置を、建物への配線工事を行うことなく、ＩＣカードリーダに容易に取り付けるとともに、ユーザの利便性をより向上する。【解決手段】ＩＣカードリーダ２に取り付ける通信装置１であって、ＩＣカードリーダ２と通信する通信アンテナと、電界通信を行うトランシーバと、携帯端末を携帯したユーザの人体がトランシーバに接触した場合、ユーザの人体およびトランシーバを介して携帯端末と通信し、通信アンテナを用いて携帯端末から取得した情報をＩＣカードリーダ２に送信するコンピュータと、を有する。【選択図】図１
2010183503.tif 000002
【特許請求の範囲】
【請求項１】
ＩＣカードリーダに取り付ける通信装置であって、
前記ＩＣカードリーダと通信するための通信アンテナと、
送信すべき情報に基づく電界を電界伝達媒体であるユーザの人体に誘起させるとともにこの誘起した電界を検出して情報の送受信を行うトランシーバと、
携帯端末を携帯したユーザの人体が前記トランシーバに接触した場合、前記ユーザの人体および前記トランシーバを介して前記携帯端末と通信し、前記通信アンテナを用いて前記携帯端末から取得した情報を前記ＩＣカードリーダに送信するコンピュータと、を有すること
を特徴とする通信装置。
【請求項２】
請求項１記載の通信装置であって、
前記ＩＣカードリーダから受電する受電コイルと、
前記受電コイルにより充電される２次電池と、をさらに有すること
を特徴とする通信装置。
【請求項３】
請求項１または請求項２記載の通信装置であって、
当該通信装置の識別情報を記憶した記憶部を、さらに有し、
前記コンピュータは、前記通信アンテナを用いて、前記記憶部の識別情報を所定のタイミングで前記カードリーダに送信すること
を特徴とする通信装置。
【請求項４】
ＩＣカードリーダの近傍の床に敷設するフロアマット型通信装置であって、
前記ＩＣカードリーダに接続された制御装置と通信するための通信アンテナと、
送信すべき情報に基づく電界を電界伝達媒体であるユーザの人体に誘起させるとともにこの誘起した電界を検出して情報の送受信を行うトランシーバと、
携帯端末を携帯したユーザの人体が前記トランシーバに接触した場合、前記ユーザの人体および前記トランシーバを介して前記携帯端末と通信し、前記通信アンテナを用いて前記携帯端末から取得した情報を前記制御装置に送信するコンピュータと、を有すること
を特徴とするフロアマット型通信装置。
【請求項５】
請求項４記載のフロアマット型通信装置であって、
電力を発生させる発電部と、
前記発電部が発電した電力により充電される２次電池と、をさらに有すること
を特徴とするフロアマット型通信装置。
【請求項６】
請求項４または請求項５記載のフロアマット型通信装置であって、
当該通信装置の識別情報を記憶した記憶部を、さらに有し、
前記コンピュータは、前記通信アンテナを用いて、前記記憶部の識別情報を所定のタイミングで前記制御装置に送信すること
を特徴とするフロアマット型通信装置。
【発明の詳細な説明】
【技術分野】
【０００１】
本発明は、送信すべき情報に基づく電界を電界伝達媒体に誘起させるとともにこの誘起した電界を検出して情報の送受信を行う通信装置に関する。
【背景技術】
【０００２】
特許文献１および特許文献２には、電界信号検出技術を利用し、送信すべき情報に基づく電界を電界伝達媒体である生体に誘起させ、この誘起した電界を用いて情報の送受信を行うトランシーバが記載されている。
【０００３】
また、特許文献３には、上記トランシーバを用いたＩＣカードシステムが記載されている。
【先行技術文献】
【特許文献】
【０００４】
【特許文献１】特開２００１−３５２２９８号公報
【特許文献２】特開２００６−０８１１１１号公報
【特許文献３】特開２００７−２２６５６０号公報
【発明の概要】
【発明が解決しようとする課題】
【０００５】
さて、ＩＣカードおよびＩＣカードリーダを用いたシステムから、トランシーバを用いて電界通信を行うシステムへ移行する際に、その過渡期においては、ＩＣカードを使用するユーザと、トランシーバを使用するユーザとが並存する。そのため、既存のＩＣカードリーダの隣に、新たなトランシーバを設置する必要がある。
【０００６】
新たなトランシーバを設置する場合、建物への工事（壁に穴を開けて電源ケーブルやデータケーブルを配線・敷設するなど）が必要となる。そのため、設備投資が増大し、さらには工事に要する作業時間を確保する必要がある。
【０００７】
また、ＩＣカードリーダとトランシーバとが隣り合って設置されるため、ユーザはどちらの装置を使用すべきかを判断し、いずれかの装置を選択して操作するため不便であり、誤った装置を選択してしまう可能性もある。
【０００８】
本発明は、上記課題を解決するためになされたものであり、本発明の目的は、電界伝達媒体を介して情報の送受信を行う通信装置を、建物への配線工事を行うことなく、ＩＣカードリーダまたはＩＣカードリーダの近傍に容易に取り付けるとともに、ユーザの利便性をより向上することにある。
【課題を解決するための手段】
【０００９】
上記目的を達成するため、第１の本発明は、ＩＣカードリーダに取り付ける通信装置であって、前記ＩＣカードリーダと通信するための通信アンテナと、送信すべき情報に基づく電界を電界伝達媒体であるユーザの人体に誘起させるとともにこの誘起した電界を検出して情報の送受信を行うトランシーバと、携帯端末を携帯したユーザの人体が前記トランシーバに接触した場合、前記ユーザの人体および前記トランシーバを介して前記携帯端末と通信し、前記通信アンテナを用いて前記携帯端末から取得した情報を前記ＩＣカードリーダに送信するコンピュータと、を有することを要旨とする。
【００１０】
第２の本発明は、前記第１の発明において、前記ＩＣカードリーダから受電する受電コイルと、前記受電コイルにより充電される２次電池と、をさらに有することを要旨とする。
【００１１】
第３の本発明は、前記第１または第２の発明において、当該通信装置の識別情報を記憶した記憶部をさらに有し、前記コンピュータは、前記通信アンテナを用いて、前記記憶部の識別情報を所定のタイミングで前記カードリーダに送信することを要旨とする。
【００１２】
第４の本発明は、ＩＣカードリーダの近傍の床に敷設するフロアマット型通信装置であって、前記ＩＣカードリーダに接続された制御装置と通信するための通信アンテナと、送信すべき情報に基づく電界を電界伝達媒体であるユーザの人体に誘起させるとともにこの誘起した電界を検出して情報の送受信を行うトランシーバと、携帯端末を携帯したユーザの人体が前記トランシーバに接触した場合、前記ユーザの人体および前記トランシーバを介して前記携帯端末と通信し、前記通信アンテナを用いて前記携帯端末から取得した情報を前記制御装置に送信するコンピュータと、を有することを要旨とする。
【００１３】
第５の本発明は、前記第４の発明において、電力を発生させる発電部と、前記発電部が発電した電力により充電される２次電池と、をさらに有することを要旨とする。
【００１４】
第６の本発明は、前記第４または第５の発明において、当該通信装置の識別情報を記憶した記憶部を、さらに有し、前記コンピュータは、前記通信アンテナを用いて、前記記憶部の識別情報を所定のタイミングで前記制御装置に送信することを要旨とする。
【発明の効果】
【００１５】
本発明によれば、電界伝達媒体を介して情報の送受信を行う通信装置を、建物への配線工事を行うことなく、ＩＣカードリーダまたはＩＣカードリーダの近傍に容易に取り付けるとともに、ユーザの利便性をより向上することができる。
【図面の簡単な説明】
【００１６】
【図１】本発明の第１の実施形態を説明するための全体構成図である。
【図２】本発明の第１の実施形態を説明するための全体構成図である。
【図３】通信装置とＩＣカードリーダの構成を示す構成図である。
【図４】トランシーバの概略構成図である。
【図５】トランシーバの概略構成図である。
【図６】通信装置をＩＣカードリーダに取り付ける具体例を模式的に示した図である。
【図７】本発明の第２の実施形態を説明するための全体構成図である。
【図８】フロアマット型通信装置の構成を示す構成図である。
【発明を実施するための形態】
【００１７】
＜第１の実施形態＞
以下、本発明の第１の実施形態を、図面を用いて説明する。
【００１８】
本実施形態のＩＣカードシステムは、既存のＩＣカードとＩＣカードリーダとを用いたシステムと、トランシーバを用いて電界通信を行うシステムとを共用・共存したシステムである。すなわち、本実施形態のＩＣカードシステムは、ＩＣカードリーダと電界通信を行う通信装置とを備えるため、ユーザがＩＣカードを使用する場合であっても、あるいは電界通信を行う携帯端末を使用する場合であっても、対応することができる。
【００１９】
以下に説明するＩＣカードシステムでは、ドアの開閉を行う入退室管理システムを例に説明するが、本発明は入退室管理システムに限定されるものではない。
【００２０】
図１および図２は、本発明の第１の実施形態のＩＣカードシステムを説明するための全体概要図である。図示するＩＣカードシステムは、既設のＩＣカードリーダ２と、ＩＣカードリーダ２に取り付けた通信装置１と、入退室コントローラ（制御装置）３と、ドアに設置された電子錠４と、を有する。ＩＣカードリーダ２は、既存のＩＣカードリーダ用のデータ線８を介して入退室コントローラ３と接続されるとともに、既存のＩＣカードリーダ用の電源線９を介して電源（不図示）と接続される。
【００２１】
電界通信を行う通信装置１は、既存のＩＣカードリーダ２に重ねて、簡易に取り付けられる。すなわち、本実施形態の通信装置１の設置には、入退室コントローラ３および電源と接続するための新たなデータ線および電源線の配線工事は不要である。なお、通信装置１のＩＣカードリーダ２への取り付け方法については、後述する。
【００２２】
本実施形態では、ユーザがＩＣカード７を所持している場合、ユーザは、ＩＣカード７を通信装置１が取り付けられたＩＣカードリーダ２にかざす。これにより、ＩＣカードリーダ２は、ＩＣカード７に記憶された認証情報（ユーザＩＤ、パスワード等）を読み出し、読み出した認証情報を入退室コントローラ３にデータ線８を介して送信する。入退室コントローラ３は、ドアに設置された電子錠４の施錠・開錠を制御する制御装置であって、認証情報が正当か否かを判断し、正当な認証情報の場合はドアを開錠する指示を電子錠４に送信し、不正な認証情報の場合はドアを施錠したままの状態とする指示を電子錠４に送信する。電子錠４は、入退室コントローラ３の指示に従って、ドアを開錠または施錠する。
【００２３】
一方、ユーザが電界通信を行う携帯端末６を携帯している場合、ユーザは、携帯端末６をポケットなどに入れた状態で、手などで通信装置１の信号電極に接触する。これにより、携帯端末６に記憶された認証情報は、電界伝達媒体であるユーザの人体、通信装置１、ＩＣカードリーダ２、およびデータ線８を介して入退室コントローラ３に送信される。入退室コントローラ３は、前述のとおり、認証情報が正当か否かを判断し、正当な認証情報の場合は電子錠４によりドアを開錠し、不正な認証情報の場合はドアを施錠したままとする。
【００２４】
ユーザが携帯する携帯端末６は、送信すべき情報に基づく電界を電界伝達媒体に誘起させ、この誘起した電界を用いて情報の送受信を行うトランシーバと、コンピュータとを備える。コンピュータには、認証情報が記憶されているものとする。
【００２５】
本実施形態では、ＩＣカード７を使用するユーザであっても、携帯端末６を使用するユーザであっても、通信装置１およびＩＣカードリーダ２が設置された箇所に、ＩＣカード７をかざすか、または指などで触れることにより、ドアを開けることができる。
【００２６】
図３は、通信装置１とＩＣカードリーダ２の構成を示す構成図である。
【００２７】
図示する既存のＩＣカードリーダ２は、通信アンテナ２１と、制御部２２と、給電コイル２３とを有する。通信アンテナ２１は、通信装置１およびＩＣカード７（ユーザが当該ＩＣカードリーダ２にかざすことにより近接したＩＣカード７）と通信するためのアンテナである。制御部２２は、通信アンテナ２１が受信した情報を、データ線８を介して入退室コントローラ３に送信する。また、制御部２２は、電源線９を介して電源（不図示）から供給される電力を給電コイル２３を用いてＩＣカード７に供給するとともに、前記電力を通信装置１（受電コイル１７）に供給する。
【００２８】
通信装置１は、ＩＣカードリーダ２に簡易に取り付け可能な装置であって、電界通信によりユーザの携帯端末６と通信するともに、無線通信によりＩＣカードリーダ２と通信する。図示する通信装置１は、信号電極１１と、トランシーバ１４と、コンピュータ１３と、通信アンテナ１２と、ＩＣカードチップ１５（記憶部）と、２次電池１６と、受電コイル１７と、を有する。
【００２９】
通信アンテナ１２は、ＩＣカードリーダ２（通信アンテナ２１）と無線通信するためのアンテナである。受電コイル１７は、ＩＣカードリーダ２の給電コイル２３から受電し、２次電池１６に蓄電する。なお、本実施形態では、金属接点を介さずに非接触で電力伝送する方式（例えば、電磁誘導方式など）を用いるものとする。
【００３０】
コンピュータ１３は、通信アンテナ１２を用いてＩＣカードリーダ２と通信するとともに、携帯端末６を携帯したユーザが信号電極１１に接触することにより、トランシーバ１４を用いて携帯端末６と通信する。具体的には、コンピュータ１３は、携帯端末６のコンピュータに記憶された認証情報を、携帯端末６のトランシーバ、ユーザの人体、およびトランシーバ１４を介して受信し、受信した認証情報を通信アンテナ１２、２１を介してＩＣカードリーダ２に送信する。
【００３１】
なお、ＩＣカードリーダ２の制御部２２は、ＩＣカード７から送信された認証情報と同様に、通信装置１から送信された認証情報を入退室コントローラ３に送信する。したがって、本実施形態では、既設のＩＣカードリーダ２への変更作業は発生しない。
【００３２】
ＩＣカードチップ１５（記憶部）は、通信装置１の盗難対策のためのものである。通信装置１は簡易に取り付けできるため、盗まれる危険性もある。そのため、ＩＣカードチップ１５にあらかじめ当該通信装置１の識別情報を記憶しておき、コンピュータ１３は、所定のタイミング（所定の時間間隔）でＩＣカードチップ１５に記憶された識別情報を読み出し、通信アンテナ１２を介してＩＣカードリーダ２に送信するものとする。
【００３３】
ＩＣカードリーダ２の制御部２２は、通信アンテナ２１から識別情報を受信すると、入退室コントローラ３に識別情報を送信する。入退室コントローラ３は、所定の時間が経過してもＩＣカードリーダ２から識別情報が送信されない場合、または、当該通信装置１の識別情報とは異なる不正な識別情報が送信された場合に、通信装置１が盗まれたと判別し、ブザーを鳴らすなどの所定の警告処理を行う。
【００３４】
なお、ＩＣカードリーダ２の制御部２２が、入退室コントローラ３の替わりに、所定の時間が経過してもＩＣカードリーダ２から識別情報が送信されない場合、または、当該通信装置１の識別情報とは異なる不正な識別情報が送信された場合に、通信装置１が盗まれたと判別し、所定の警告処理を行うこととしてもよい。入退室コントローラ３またはＩＣカードリーダ２は、取り付けられる正当な通信装置１の識別情報を、メモリなどにあらかじめ記憶しておくものとする。
【００３５】
トランシーバ１４は、電界信号検出技術を利用し、送信すべき情報に基づく電界を電界伝達媒体に誘起させ、この誘起した電界を用いて情報の送受信を行うものである。トランシーバ１４は、電気光学結晶を用いたもの、あるいは電気回路だけを用いたもののいずれであってもよい。
【００３６】
例えば、トランシーバ１４は、図４に示す構成をしており、コンピュータ１３からの送信データを入出力（Ｉ／Ｏ）回路９０１を介して受け取ると、この送信データを送信部９０２を介して信号電極１１に供給し、当該信号電極１１を介して電界伝達媒体に電界を誘起させ、この電界を電界伝達媒体の他の部位に伝達させる。
【００３７】
また、トランシーバ１４は、電界伝達媒体に誘起されて伝達されてくる電界を信号電極１１で検出し、この電界を電界検出部９０５に結合して電気信号に変換する。そして、この電気信号は、信号処理回路９０６で増幅、ノイズ除去などの信号処理を施され、更に波形整形回路９０７で波形整形がなされ、入出力回路９０１を介してコンピュータ１３に出力するようになっている。
【００３８】
なお、トランシーバ１４は、図５に示す構成のトランシーバであってもよい。図５に示すトランシーバ１４は、データを送信するための送信部８０２と、データを受信するための受信部８０３と、Ｉ／Ｏ回路９０１とを備える。トランシーバ１４は、コンピュータ１３からの送信データを入出力（Ｉ／Ｏ）回路９０１を介して受け取ると、この送信データを送信部８０２を介して信号電極１１に供給し、当該信号電極１１を介して電界伝達媒体に電界を誘起させ、この電界を電界伝達媒体の他の部位に伝達させる。送信部８０２は、送信データを発振器８０５から出力される搬送波で変調するための変調回路８０４と、搬送波を出力するための発振器８０５とを備える。
【００３９】
また、トランシーバ１４は、電界伝達媒体に誘起されて伝達されてくる電界を信号電極１１で検出し、この電界を受信部８０３で受信データに変換して入出力回路９０１を介してコンピュータ１３に出力する。受信部８０３は、復調信号のＨレベルとＬレベルの反転が起きていないかを判定して補正するための補正回路８０６と、搬送波再生回路８０８で再生された搬送波と受信した信号をもとにデータを再生する復調回路８０７と、受信した信号から搬送波を抽出する搬送波再生回路８０８と、を備える。コンピュータ１３は、送信データとともに送信と受信の動作の切替を指示するための送受切替信号をトランシーバ１４に対して出力するものとする。
【００４０】
なお、携帯端末６のトランシーバは、図４および図５に示すトランシーバ１４と同様である。
【００４１】
次に、既設のＩＣカードリーダ２に通信装置１を取り付ける方法について説明する。
【００４２】
図６は、通信装置１の取り付け方法を模式的に示した図である。図６（ａ）は、十字型の通信装置１であって、十字に伸びた４つの先端部でＩＣカードリーダ２を挟むことによりＩＣカードリーダ２に固定され、取り付けられる。図６（ｂ）は、Ｉ型の通信装置１であって、上下に伸びた先端部分がバネなどの弾力性のある構造になっており、バネが縮むことによりＩＣカードリーダ２に固定され、取り付けられる。
【００４３】
図６（ｃ）は、ＩＣカードリーダ２の上部に載せるタイプの通信装置１であり、図６（ｄ）は、ＩＣカードリーダ２の上部の角に置くタイプの通信装置１であり、図６（ｅ）は、ＩＣカードリーダ２の上部に引っ掛けてぶら下げるタイプ（ペンダント型）の通信装置１である。図６（ｆ）は、指先で触れる、より小型化された通信装置１であって、接着剤などによりＩＣカードリーダ２に貼り付けて固定する。
【００４４】
携帯端末６を携帯したユーザが、図６（ａ）〜（ｆ）に示す通信装置１の信号電極１１に接触することにより、通信装置１と携帯端末６との間でユーザの人体を介した電界通信が行われる。
【００４５】
なお、通信装置１の形状およびＩＣカードリーダ２への取り付け方法については、図６に示す具体例に限定されず、様々な形状および方法が考えられる。
【００４６】
以上説明した本実施形態の通信装置１は、携帯端末６から電界通信により受信した認証情報を、通信アンテナ１２を用いてＩＣカードリーダ２に送信する。これにより、通信装置用のデータ線を新たに配線する配線工事が不要となる。
【００４７】
また本実施形態の通信装置１は、ＩＣカードリーダ２がＩＣカード７に給電するための給電コイル２３を流用し、通信装置１を駆動させるための電力をＩＣカードリーダ２から受電する。これにより、通信装置用の電源線を新たに配線する配線工事が不要となる。
【００４８】
すなわち、本実施形態では、電界通信を行う通信装置１を、建物への配線工事を行うことなく、既存のＩＣカードリーダ２に容易に取り付けることができ、設備投資を低減することができる。
【００４９】
また、本実施形態では、ＩＣカード７およびＩＣカードリーダ２を用いたシステムと、携帯端末６および通信装置１を用いた電界通信システムとを共用できる。そのため、ＩＣカード７から携帯端末６に移行する過渡期において、ＩＣカード７を使用するユーザと、携帯端末６を使用するユーザとが並存する場合であっても、ユーザの利便性を損ねることなく電界通信システムへの設備移行を行うことができる。
【００５０】
また、本実施形態では、通信装置１は、既存のＩＣカードリーダ２に重ねて取り付けられる。これにより、ＩＣカード７を使用するユーザであっても、携帯端末６を使用するユーザであっても、通信装置１およびＩＣカードリーダ２が設置された箇所に、ＩＣカード７をかざす、または指などを接触すればよいため、ユーザ操作を容易にし、ユーザの利便性を向上することができる。
【００５１】
また、本実施形態の通信装置１は、図６に示すように、ＩＣカードリーダ２の一部のみを覆った小型の装置である。これにより、通信装置１を取り付けた状態のＩＣカードリーダ２であっても、ＩＣカード７とデータ通信を行うことができ、また、ＩＣカード７への給電も行うことができる。
【００５２】
また、本実施形態の通信装置１は、ＩＣカードチップ１５に記憶された識別情報を、所定のタイミングで、ＩＣカードリーダ２を介して入退室コントローラ３に送信する。これにより、通信装置１が盗難にあったことを検知し、所定の警報処理を行うことができる。
【００５３】
＜第２の実施形態＞
図７は、本発明の第２の実施形態のＩＣカードシステムを説明するための全体概要図である。第２の実施形態は、第１の実施形態の通信装置１の替わりに、床に敷いたフロアマット型の通信装置１Ａを用いたＩＣカードシステムである。
【００５４】
図示するＩＣカードシステムは、既存のＩＣカードリーダ２と、床に敷設したフロアマット型通信装置１Ａと、入退室コントローラ（制御装置）３と、ドアに設置された電子錠４と、を有する。ＩＣカードリーダ２は、既存のＩＣカードリーダ用のデータ線８を介して入退室コントローラ３と接続されるとともに、既存のＩＣカードリーダ用の電源線９を介して電源（不図示）と接続される。
【００５５】
フロアマット型通信装置１Ａは、ＩＣカードリーダ２の近傍の所定の場所（例えば、ドアの前など）に敷くだけでよく、フロアマット型通信装置１Ａを入退室コントローラ３および電源と接続するための新たなデータ線および電源線の配線は不要である。
【００５６】
第２の実施形態では、第１の実施形態と同様に、ユーザがＩＣカード７を所持している場合、ユーザは、ＩＣカード７をＩＣカードリーダ２にかざす。これにより、ＩＣカードリーダ２は、ＩＣカード７に記憶された認証情報（ユーザＩＤ、パスワード等）を読み出し、読み出した認証情報を入退室コントローラ３にデータ線８を介して送信する。入退室コントローラ３は、ドアに設置された電子錠４の施錠・開錠を制御する制御装置であって、認証情報が正当か否かを判断し、正当な認証情報の場合はドアを開錠する指示を電子錠４に送信し、不正な認証情報の場合はドアを施錠したままの状態とする指示を電子錠４に送信する。電子錠４は、入退室コントローラ３の指示に従って、ドアを開錠または施錠する。
【００５７】
一方、ユーザが携帯端末６を携帯している場合、ユーザは、携帯端末６をポケットなどに入れた状態で、フロアマット型通信装置１Ａの信号電極１１に接触する（すなわち、信号電極１１の上に立つ）。これにより、携帯端末６のコンピュータに記憶された認証情報は、電界伝達媒体であるユーザの人体、フロアマット型通信装置１Ａ、および通信アンテナ１２Ａ、３１を介して入退室コントローラ３に送信される。入退室コントローラ３は、通信アンテナ３１から受信した認証情報が正当か否かを判断し、正当な認証情報の場合は電子錠４によりドアを開錠し、不正な認証情報の場合はドアを施錠したままとする。なお、本実施形態の携帯端末６は、第１の実施形態の携帯端末６と同様である。
【００５８】
このように、第２の実施形態では、ユーザは、ＩＣカードリーダ２にＩＣカード７をかざすか、またはフロアマット型通信装置１Ａ（信号電極１１）の上に立って接触することにより、ドアを開けることができる。
【００５９】
本実施形態のＩＣカードリーダ２は、第１の実施形態のＩＣカードリーダ２（図３参照）と同様に既設のＩＣカードリーダ２であって、通信アンテナ２１と、制御部２２と、給電コイル２３とを有する。通信アンテナ２１は、ユーザがかざすことにより近接したＩＣカード７と通信するためのアンテナである。制御部２２は、通信アンテナ２１から受信したＩＣカード７の認証情報を、データ線８を介して入退室コントローラ３に送信する。また、制御部２２は、電源線９を介して電源（不図示）から供給される電力を、給電コイル２３を用いてＩＣカード７に供給する。
【００６０】
本実施形態の入退室コントローラ３は、フロアマット型通信装置１Ａと無線通信するための通信アンテナ３１を備える。
【００６１】
図８は、フロアマット型通信装置１Ａの構成を示す構成図である。
【００６２】
フロアマット型通信装置１Ａは、床に敷くだけで簡易に取り付け可能な装置であって、電界通信を用いて携帯端末６と通信するともに、無線通信により入退室コントローラ３と通信する。図示する通信装置１は、信号電極１１と、トランシーバ１４と、コンピュータ１３と、通信アンテナ１２Ａと、ＩＣカードチップ１５と、２次電池１６と、自己発電部１８と、を有する。
【００６３】
通信アンテナ１２Ａは、入退室コントローラ３（通信アンテナ３１）と通信するためのアンテナである。自己発電部１８は、太陽電池、または、ユーザがフロアマット型通信装置１Ａに載ったときの重さで発電する圧電素子などを用いて自己発電し、２次電池１６に蓄電する。
【００６４】
コンピュータ１３は、通信アンテナ１２Ａを用いて入退室コントローラ３と通信するとともに、携帯端末６を携帯したユーザが信号電極１１に接触することにより、トランシーバ１４を用いて携帯端末６と通信する。具体的には、コンピュータ１３は、携帯端末６のコンピュータに記憶された認証情報を、ユーザの人体およびトランシーバ１４を介して受信し、受信した認証情報を通信アンテナ１２Ａ、３１を介して入退室コントローラ３に送信する。
【００６５】
ＩＣカードチップ１５（記憶部）は、第１の実施形態のＩＣカードチップ１５と同様にフロアマット型通信装置１Ａの盗難対策のためのものである。ＩＣカードチップ１５にあらかじめ当該フロアマット型通信装置１Ａの識別情報を記憶しておき、コンピュータ１３は、所定のタイミング（所定の時間間隔）でＩＣカードチップ１５に記憶された識別情報を読み出し、通信アンテナ１２Ａを介して入退室コントローラ３に送信する。入退室コントローラ３は、所定の時間が経過してもフロアマット型通信装置１Ａから識別情報が送信されない場合、または、当該通信装置１の識別情報とは異なる不正な識別情報が送信された場合に、フロアマット型通信装置１Ａが盗まれたと判別し、ブザーを鳴らすなどの所定の警告処理を行う。入退室コントローラ３は、取り付けられる正当な通信装置１の識別情報を、メモリなどにあらかじめ記憶しておくものとする。
【００６６】
トランシーバ１４は、第１の実施形態のトランシーバ１４（図４、図５参照）と同様であるため、ここでは説明を省略する。
【００６７】
以上説明した第２の実施形態のフロアマット型通信装置１Ａは、携帯端末６から電界通信により受信した認証情報を、通信アンテナ１２Ａを用いて入退室コントローラ３に送信する。これにより、フロアマット型通信装置用のデータ線を新たに配線する配線工事が不要となる。また本実施形態のフロアマット型通信装置１Ａは、自己発電部１８を備える。これにより、フロアマット型通信装置用の電源線を新たに配線する配線工事が不要となる。
【００６８】
すなわち、本実施形態では、電界通信を行うフロアマット型通信装置１Ａを、建物への配線工事を行うことなく、簡易に設置（敷設）することができ、設備投資を低減することができる。
【００６９】
また、本実施形態では、ＩＣカード７およびＩＣカードリーダ２を用いたシステムと、携帯端末６およびフロアマット型通信装置１Ａを用いた電界通信システムとを共用できる。そのため、ＩＣカード７から携帯端末６に移行する過渡期において、ＩＣカード７を使用するユーザと、携帯端末６を使用するユーザとが並存する場合であっても、ユーザの利便性を損ねることなく電界通信システムへの設備移行を行うことができる。
【００７０】
また、本実施形態では、ＩＣカード７を使用するユーザはＩＣカードリーダ２にＩＣカード７をかざし、携帯端末６を使用するユーザはフロアマット型通信装置１Ａの上に立つことで操作を行う。すなわち、本実施形態では、ユーザ操作を容易にし、ユーザの利便性を向上することができる。
【００７１】
また、本実施形態のフロアマット型通信装置１Ａは、ＩＣカードチップ１５に記憶された識別情報を、所定のタイミングで入退室コントローラ３に送信する。これにより、フロアマット型通信装置１Ａが盗難にあったことを検知し、所定の警報処理を行うことができる。
【００７２】
以上、本発明の実施形態について説明してきたが、本発明の要旨を逸脱しない範囲において、本発明の実施形態に対して種々の変形や変更を施すことができる。
【符号の説明】
【００７３】
１      通信装置
１Ａ    フロアマット型通信装置
１１    信号電極
１２    通信アンテナ
１３    コンピュータ
１４    トランシーバ
１５    ＩＣカードチップ
１６    ２次電池
１７    受電コイル
１８    自己発電部
２      ＩＣカードリーダ
２１    通信アンテナ
２２    制御部
２３    給電コイル
３      入退室コントローラ
３１    通信アンテナ
４      電子錠
【図１】
2010183503.tif 000003
【図２】
2010183503.tif 000004
【図３】
2010183503.tif 000005
【図４】
2010183503.tif 000006
【図５】
2010183503.tif 000007
【図６】
2010183503.tif 000008
【図７】
2010183503.tif 000009
【図８】
2010183503.tif 000010